(57)【要約】【課題】本発明は、ＬＥＤセンサー照明装置の制御方法を提供する。【解決手段】本発明は、ＬＥＤセンサー照明装置を設置し、前記ＬＥＤセンサー照明装置は、外部の物体を感知探測するとともに、第一照明モードを備える。前記ＬＥＤセンサー照明装置を第一照明モードに設定して、外部の物体の有無を感知する。ＬＥＤセンサー照明装置は、外部の物体を感知した時、発光輝度が１００％の全光状態になり、外部の物体を感知していない時、発光輝度が≦３０％の微光状態になる。以上により、前記ＬＥＤセンサー照明装置は、無人の状態においても、省エネモードの微光照明を提供して、所定の照明範囲内に完全な暗闇や照明の死角が生じることを回避する。よって、隣接する範囲の使用者或いは歩行者が前方の状態をはっきりと感知できるようになり、使用者或いは通行人の安全性を効果的に向上させることができる。【選択図】図４
2015050031.tif 000002
【特許請求の範囲】
【請求項１】
ＬＥＤセンサー照明装置を設置する手順からなる、ＬＥＤセンサー照明装置の制御方法であって、
前記ＬＥＤセンサー照明装置は、第一照明モードを備え、
前記第一照明モードは、前記ＬＥＤセンサー照明装置を発光輝度が全光状態、及び発光輝度が微光状態という二種のモードに制御することができ、
前記ＬＥＤセンサー照明装置は、第一照明モードに設定されるとともに、外部の物体の有無を感知し、
前記ＬＥＤセンサー照明装置は、外部の物体を感知した時、発光輝度が全光状態になり、
前記ＬＥＤセンサー照明装置は、外部の物体を感知していない時、発光輝度が微光状態になることを特徴とする、ＬＥＤセンサー照明装置の制御方法。
【請求項２】
前記第一照明モードは、ＬＥＤセンサー照明装置を発光輝度が１００％の全光状態、及び発光輝度が≦３０％の微光状態に制御することを特徴とする、請求項１に記載のＬＥＤセンサー照明装置の制御方法。
【請求項３】
前記ＬＥＤセンサー照明装置は更に、第二照明モードを備え、
前記第二照明モードは、前記ＬＥＤセンサー照明装置を、発光輝度が１００％の全光状態、及び発光輝度が閉止状態という二種のモードに制御することができ、
前記ＬＥＤセンサー照明装置は、第二照明モードに設定されるとともに、外部の物体の有無を感知し、
前記ＬＥＤセンサー照明装置は、外部の物体を感知した時、発光輝度が１００％の全光状態になり、
前記ＬＥＤセンサー照明装置は、外部の物体を感知していない時、発光輝度が閉止状態になることを特徴とする、請求項１に記載のＬＥＤセンサー照明装置の制御方法。
【請求項４】
前記ＬＥＤセンサー照明装置は、第一照明モード、或いは第二照明モードのいずれかに設定されることを特徴とする、請求項３に記載のＬＥＤセンサー照明装置の制御方法。
【請求項５】
前記ＬＥＤセンサー照明装置は、台座体と、少なくとも一つのＬＥＤ発光モジュールと、センサーとからなり、
前記台座体は、一端に導電ソケットが設けられ、他端に開口が形成されるとともに、前記台座体内部には絶縁カバー体が設けられ、且つ前記絶縁カバー体内に制御電子回路板が設けられ、
前記制御電子回路板は、第一照明モード及び第二照明モードを備えるとともに、前記導電ソケットと電気的に接続され、
前記台座体における前記絶縁カバー体及び前記制御電子回路板の頂部には、隔離部が設けられ、前記隔離部の外部表面には少なくとも一つの熱伝導片が設けられ、
前記台座体の開口部には、第一カバー体が設けられ、
前記第一カバー体には、収容部が設けられるとともに、前記収容部の外部に第二カバー体が設けられ、
前記ＬＥＤ発光モジュールは、前記台座体の熱伝導片に設けられるとともに、前記制御電子回路板と電気的に接続され、
前記センサーは、前記第一カバー体の収容部に設けられるとともに、前記控制電路板と電気的に接続されることを特徴とする、請求項１に記載のＬＥＤセンサー照明装置の制御方法。
【請求項６】
前記ＬＥＤセンサー照明装置には更に、切換スイッチが設けられ、
前記切換スイッチは、前記制御電子回路板と電気的に接続され、前記切換スイッチによって、前記制御電子回路板が第一照明モード、或いは第二照明モードのどちらを実行するか設定することができることを特徴とする、請求項５に記載のＬＥＤセンサー照明装置の制御方法。
【請求項７】
前記ＬＥＤ発光モジュールは、光源が白色光であることを特徴とする、請求項５に記載のＬＥＤセンサー照明装置の制御方法。
【請求項８】
前記ＬＥＤ発光モジュールは、光源が黄色光であることを特徴とする、請求項５に記載のＬＥＤセンサー照明装置の制御方法。
【請求項９】
前記ＬＥＤ発光モジュールは、光源が白色光及び黄色光、或いはその他の色を組み合わせた光源であることを特徴とする、請求項５に記載のＬＥＤセンサー照明装置の制御方法。
【請求項１０】
前記センサーは、赤外線センサー、或いは超音波センサーであることを特徴とする、請求項５に記載のＬＥＤセンサー照明装置の制御方法。
【発明の詳細な説明】
【技術分野】
【０００１】
本発明は、ＬＥＤセンサー照明装置の制御方法に関し、特に第一照明モードを備えたＬＥＤセンサー照明装置において、前記第一照明モードによって前記ＬＥＤセンサー照明装置を発光輝度が１００％の全光状態、及び発光輝度が≦３０％の微光状態に制御することができるとともに、ＬＥＤセンサー照明装置が外部の物体を感知した時、発光輝度が１００％の全光状態になる、ＬＥＤセンサー照明装置の制御方法に関する。
【背景技術】
【０００２】
世界中の多くの国々が、力を上げて省エネルギーと二酸化炭素削減を提唱し追求している。この状況を受けて、業者は、使用環境に応じて自動で発光ダイオード照明器具の起動と閉止を制御することができる、自動感知式発光ダイオード照明器具を開発した。これにより、発光ダイオードの消費電力を減らし、更に進んだ省エネルギーと二酸化炭素削減の効果を得ることができるようになった。しかし、従来の自動感知式発光ダイオード照明器具は、照射方法が全光或いは閉止という二種の使用モードに限られている。自動感知式発光ダイオード照明器具は、外部の人体を感知した時、照明モードが全光状態を呈し、外部の人体を感知していない時、照明モードが閉止状態を呈する。このような照明モードでは、所定の照明範囲と通路の間に暗闇や死角が生じるため、隣接する範囲の使用者或いは歩行者がすぐに前方の状態を察知できず、完全に自動感知式発光ダイオード照明器具の感知範囲内に入らなければ、照明器具が起動しないという状況を招く。
【発明の概要】
【発明が解決しようとする課題】
【０００３】
上述の従来技術の問題、及び欠陥を解決するため、本発明は、ＬＥＤセンサー照明装置を設置し、前記ＬＥＤセンサー照明装置が外部の物体を感知探測するとともに、第一照明モードによって前記ＬＥＤセンサー照明装置の発光輝度を１００％の全光状態、及び≦３０％の微光状態に制御することができる、ＬＥＤセンサー照明装置の制御方法を提供することを目的とする。
【課題を解決するための手段】
【０００４】
本発明は、ＬＥＤセンサー照明装置を設置する。前記ＬＥＤセンサー照明装置は、外部の物体を感知探測するとともに、第一照明モードを備える。前記第一照明モードは、ＬＥＤセンサー照明装置を発光輝度が１００％の全光状態、及び発光輝度が≦３０％の微光状態に制御することができる。ＬＥＤセンサー照明装置は、第一照明モードに設定されて、外部の物体の有無を感知する。ＬＥＤセンサー照明装置は、外部の物体を感知した時、発光輝度が１００％の全光状態になり、外部の物体を感知していない時、発光輝度が≦３０％の微光状態になる。
【発明の効果】
【０００５】
上記ように構成される本発明のＬＥＤセンサー照明装置の制御方法によって、ＬＥＤセンサー照明装置は、無人の状態においても、省エネモードの微光照明を提供して、所定の照明範囲内に完全な暗闇や照明の死角が生じることを回避する。よって、隣接する範囲の使用者或いは歩行者が前方の状態をはっきりと感知できるようになり、使用者或いは通行人の安全性を効果的に向上させることができる。
【図面の簡単な説明】
【０００６】
【図１】本発明のＬＥＤセンサー照明装置の制御方法におけるＬＥＤセンサー照明装置を示した構造概略図である。
【図２】本発明のＬＥＤセンサー照明装置の制御方法におけるＬＥＤセンサー照明装置を示した構造分解図である。
【図３】本発明のＬＥＤセンサー照明装置の制御方法におけるＬＥＤセンサー照明装置のもう一つの実施例を示した構造概略図である。
【図４】本発明のＬＥＤセンサー照明装置の制御方法を示したフローチャートである。
【発明を実施するための形態】
【０００７】
まず、図１、図２、図３を参照する。本発明が提示するＬＥＤセンサー照明装置の制御方法は、ＬＥＤセンサー照明装置１を設置する。ＬＥＤセンサー照明装置１は、外部の物体を感知探測するとともに、第一照明モードを備える。前記第一照明モードは、ＬＥＤセンサー照明装置１を発光輝度が１００％の全光状態、及び発光輝度が≦３０％の微光状態に制御することができる。また、ＬＥＤセンサー照明装置１は、台座体１０と、少なくとも一つのＬＥＤ発光モジュール２と、センサー３とからなる。
【０００８】
台座体１０は、一端に導電ソケット１１が設けられ、他端に開口が形成されるとともに、台座体１０内部には絶縁カバー体１２が設けられ、且つ絶縁カバー体１２内に制御電子回路板１３が設けられる。制御電子回路板１３は、第一照明モードを備えるとともに、導電ソケット１１と電気的に接続される。また、台座体１０における絶縁カバー体１２及び制御電子回路板１３の頂部には、隔離部１４が設けられ、隔離部１４の外部表面には少なくとも一つの熱伝導片１５が設けられる。更に、台座体１０の開口部には、第一カバー体１６が設けられ、第一カバー体１６には収容部１６１が設けられるとともに、収容部１６１の外部に第二カバー体１７が設けられる。
【０００９】
少なくとも一つのＬＥＤ発光モジュール２は、台座体１０の熱伝導片１５外縁に設けられるとともに、制御電子回路板１３と電気的に接続される。また、ＬＥＤ発光モジュール２の光源は、白色光、黄色光、白色光及び黄色光等、或いはその他の単一或いは組み合わせ式の色の光源である。
【００１０】
センサー３は、第一カバー体１６の収容部１６１に設けられるとともに、制御電子回路板１３と電気的に接続される。また、センサー３は、赤外線センサー、或いは超音波センサーである。
【００１１】
制御電子回路板１３を第一照明モードに設定して、センサー３によって外部の物体を感知探測する。センサー３が外部の物体を感知した時、センサー３から第一制御信号が制御電子回路板１３に送られた後、制御電子回路板１３がＬＥＤ発光モジュール２の発光輝度を１００％の全光状態になるように制御する。また、センサー３が外部の物体を感知していない時、センサー３から第二制御信号が制御電子回路板１３に送られた後、制御電子回路板１３がＬＥＤ発光モジュール２の発光輝度を≦３０％の微光状態になるように制御する。
【００１２】
また、ＬＥＤセンサー照明装置１は更に、第二照明モードを備える。即ち、制御電子回路板１３は、第一照明モードの他に第二照明モードを備え、前記第二照明モードは、ＬＥＤセンサー照明装置１を発光輝度が１００％の全光状態、及び発光輝度が閉止の状態に制御することができる。また、ＬＥＤセンサー照明装置１には更に、切換スイッチ１８が設けられ、切換スイッチ１８は、制御電子回路板１３と電気的に接続されるとともに、制御電子回路板１３が第一照明モード、或いは第二照明モードのいずれかを実行するように設定する。
【００１３】
制御電子回路板１３を第二照明モードに設定して、センサー３によって外部の物体を感知探測する。センサー３が外部の物体を感知した時、センサー３から第三制御信号が制御電子回路板１３に送られた後、制御電子回路板１３がＬＥＤ発光モジュール２の発光輝度を１００％の全光状態になるように制御する。逆に、センサー３が外部の物体を感知していない時、センサー３から第四制御信号が制御電子回路板１３に送られた後、制御電子回路板１３がＬＥＤ発光モジュール２の発光輝度を閉止状態に制御する。
【００１４】
合わせて図４を参照する。本発明のＬＥＤセンサー照明装置の制御方法は、以下の手順からなる。
【００１５】
手順１００：ＬＥＤセンサー照明装置１を設置する。ＬＥＤセンサー照明装置１は、第一照明モードと、第二照明モードとを備える。
【００１６】
手順１１０：ＬＥＤセンサー照明装置１を第一照明モードに設定して、ＬＥＤセンサー照明装置１によって外部の物体の有無を感知する。
【００１７】
手順１２０：ＬＥＤセンサー照明装置１は、外部の物体を感知した時、発光輝度が１００％の全光状態になる。
【００１８】
手順１３０：ＬＥＤセンサー照明装置１は、外部の物体を感知していない時、発光輝度が≦３０％の微光状態になる。
【００１９】
第一照明モードは、ＬＥＤセンサー照明装置１を発光輝度が１００％の全光状態、及び発光輝度が≦３０％の微光状態に制御することができる。ＬＥＤセンサー照明装置１は、外部の物体を感知していない時、発光輝度が≦３０％の微光状態を維持することにより、無人の状態においても、省エネモードの微光照明を提供して、所定の照明範囲内に完全な暗闇や照明の死角が生じることを回避する。よって、隣接する範囲の使用者或いは歩行者が前方の状態をはっきりと感知できるようになり、使用者或いは通行人の安全性を効果的に向上させることができる。
【００２０】
本発明のＬＥＤセンサー照明装置の制御方法は更に、以下の手順からなる。
【００２１】
手順１００：ＬＥＤセンサー照明装置１を設置する。ＬＥＤセンサー照明装置１は、第一照明モードと、第二照明モードとを備える。
【００２２】
手順１４０：ＬＥＤセンサー照明装置１を第一照明モード、或いは第二照明モードのいずれかに設定する。
【００２３】
手順１１０：ＬＥＤセンサー照明装置１を第一照明モードに設定して、ＬＥＤセンサー照明装置１によって外部の物体の有無を感知する。
【００２４】
手順１２０：ＬＥＤセンサー照明装置１は、外部の物体を感知した時、発光輝度が１００％の全光状態になる。
【００２５】
手順１３０：ＬＥＤセンサー照明装置１は、外部の物体を感知していない時、発光輝度が≦３０％の微光状態になる。
【００２６】
本発明のＬＥＤセンサー照明装置の制御方法は更に、以下の手順からなる。
【００２７】
手順１００：ＬＥＤセンサー照明装置１を設置する。ＬＥＤセンサー照明装置１は、第一照明モードと、第二照明モードとを備える。
【００２８】
手順１４０：ＬＥＤセンサー照明装置１を第一照明モード、或いは第二照明モードのいずれかに設定する。
【００２９】
手順１５０：ＬＥＤセンサー照明装置１を第二照明モードに設定して、ＬＥＤセンサー照明装置１によって外部の物体の有無を感知する。
【００３０】
手順１６０：ＬＥＤセンサー照明装置１は、外部の物体を感知した時、発光輝度が１００％の全光状態になる。
【００３１】
手順１７０：ＬＥＤセンサー照明装置１は、外部の物体を感知していない時、発光輝度が閉止状態になる。
【符号の説明】
【００３２】
１            ＬＥＤセンサー照明装置
１０   台座体
１１   導電ソケット
１２   絶縁カバー体
１３   制御電子回路板
１４   隔離部
１５   熱伝導片
１６   第一カバー体
１６１ 収容部
１７   第二カバー体
１８   切換スイッチ
２            ＬＥＤ発光モジュール
３            センサー
【図１】
2015050031.tif 000003
【図２】
2015050031.tif 000004
【図３】
2015050031.tif 000005
【図４】
2015050031.tif 000006